(57)【要約】【課題】  長くて重い被覆体をハウス骨組の上に引上げ易くすることやその次の作業であるハウス骨組の上に引上げた被覆体をハウス骨組と固定用ロープとの間に通し易くすることである。【解決手段】  ローラー１の両端部にフレームをそれぞれ後方に設け、このフレームの１方の側の第１フレーム５には下方向に突出した下方開口の第１掛止具７を所定の位置に設けて、他方の側の第２フレーム６にはハウス骨組の傾斜パイプに取付時のローラー１がほぼ水平方向に設置する位置に上方向に突出した下方開口の第２掛止具８を連結固定して設けるとともにハウス骨組の棟パイプ用で下方開口の第３掛止具９を所定の位置に設けたハウス骨組の被覆体案内ローラー１３である。【選択図】  図３
2005270071.tif 000002
【特許請求の範囲】
【請求項１】
ローラーの両端部にフレームをそれぞれ後方に設け、該フレームの１方の側の第１フレームには下方向に突出した下方開口の第１掛止具を所定の位置に設けて、他方の側の第２フレームには低い位置の前半部のフレームと高い位置の後半部のフレームとの間でハウス骨組の傾斜パイプに取付時のローラーがほぼ水平方向に設置する位置に上方向に突出した下方開口の第２掛止具を連結固定して設けるとともにハウス骨組の棟パイプ用で下方開口の第３掛止具を所定の位置に設けたことを特徴とするハウス骨組の被覆体案内ローラー。
【請求項２】
ローラーが、ローラーの長さ方向のほぼ中央の外側にロープ案内溝を設けた請求項１記載のハウス骨組の被覆体案内ローラー。
【請求項３】
ローラーが、ローラーの円形穴に、円形穴の内径より小さい外径の円形断面固定軸を、設けた請求項１記載のハウス骨組の被覆体案内ローラー。
【請求項４】
ローラーが、ローラーの両端部に回転軸を突出一体に設けるとともに第１フレームと第２フレームにそれぞれ軸受部を設けた請求項１記載のハウス骨組の被覆体案内ローラー。
【請求項５】
第１フレームと第２フレームが、ローラーの両端部後方で第３フレームで連結固定してなる請求項１記載のハウス骨組の被覆体案内ローラー。
【請求項６】
第１フレームと第２フレームが、ローラーの両端部の上側からフレームの後端部までに補強フレームを連結固定してなる請求項１記載のハウス骨組の被覆体案内ローラー。
【請求項７】
第１フレームと第２フレームが、ローラーの両端部の上前方側からフレームの後端部までに補強フレームを連結固定してなる請求項１記載のハウス骨組の被覆体案内ローラー。
【請求項８】
第３掛止具が、第３掛止具の下方開口縁部に、下方開口部を開閉する開閉自在具を、設けた請求項１記載のハウス骨組の被覆体案内ローラー。
【発明の詳細な説明】
【技術分野】
【０００１】  この発明は、農作物などに使用するハウス骨組の上にビニールフィルムなどの合成フィルム，布，ネットなどの被覆体を被覆する時に、ハウス骨組に被覆体を案内するためのローラーに係わるものである。
【背景技術】
【０００２】  従来は、長さが５０ｍ以上と長いハウス骨組の上に所定の間隔をおいて設けた多数本の固定用ロープを緩めた状態に設けて、このハウス骨組と固定用ロープとの間に長くて重い被覆体、例えばビニールフィルムをハウス骨組の上に引上げながら１か所ずつ手で通して引張っている。【０００３】  この従来の被覆体案内では、長くて重い被覆体、例えばビニールフィルムをハウス骨組の上に引上げながらハウス骨組と固定用ロープとの間に１か所ずつ手で通すのは時に、作業者の足場はハウス骨組の細い１本のパイプであるために作業者が足場のパイプから転落するおそれがあるという問題点があったし、作業者が長くて重いビニールフィルムを手でハウス骨組の上に引上げながら足場の悪い細いパイプの上で嵩張ったビニールフィルムの先端が骨組のパイプや固定用ロープに引掛かって引張ることができない際に１方の手で引掛かったビニールフィルムの先端を直しながら、他方の手で引張ることは行いにくく、重労働であるという問題点があった。これらの問題点のうち、ハウス骨組と固定用ロープとの間に長くて重い被覆体を通すという技術は本出願人は既に特許出願している。
【特許文献１】  特開２００３−２７４７６５
【発明の開示】
【発明が解決しようとする課題】
【０００４】  この発明は、従来のハウス骨組の上へと長くて重い被覆体を引上げる際に発生する問題点を解消することであり、長くて重い被覆体をハウス骨組の上に引上げ易くすることであるとともにその次の作業であるハウス骨組の上に引上げた被覆体をハウス骨組と固定用ロープとの間に通し易くすることなどである。
【問題を解決するための手段】
【０００５】  この発明のハウス骨組の被覆体案内ローラーは、ローラーの両端部にフレームをそれぞれ後方に設け、このフレームの１方の側の第１フレームには下方向に突出した下方開口の第１掛止具を所定の位置に設けて、他方の側の第２フレームには低い位置の前半部のフレームと高い位置の後半部のフレームとの間でハウス骨組の傾斜パイプに取付時のローラーがほぼ水平方向に設置する位置に上方向に突出した下方開口の第２掛止具を連結固定して設けるとともにハウス骨組の棟パイプ用で下方開口の第３掛止具を所定の位置に設けたものである。
【発明の効果】
【０００６】  この発明のハウス骨組の被覆体案内ローラーは、ローラーの両端部にフレームをそれぞれ後方に設け、このフレームの１方の側の第１フレームには下方向に突出した下方開口の第１掛止具を所定の位置に設けて、他方の側の第２フレームには低い位置の前半部のフレームと高い位置の後半部のフレームとの間でハウス骨組の傾斜パイプに取付時のローラーがほぼ水平方向に設置する位置に上方向に突出した下方開口の第２掛止具を連結固定して設けるとともにハウス骨組の棟パイプ用で下方開口の第３掛止具を所定の位置に設けたから、この被覆体案内ローラーをハウス骨組の端部の傾斜パイプに第１フレームの第１掛止具と第２フレームの第２掛止具でそれぞれ掛止めし、かつ棟パイプに第３掛止具で掛止めすることにより、被覆体案内ローラーのローラーはほぼ水平状態になるためにこのほぼ水平状態のローラーであることとこのローラーが回転することとにより長くて重い被覆体をハウス骨組の上に引上げる際に、被覆体の先端部に案内ロープの端部を結ぶなどして一体化して案内ロープを被覆体案内ローラーからハウス骨組の上へと引張ることにより被覆体は案内ロープと内ローラーとによりほぼ水平状態で安定性良く、かつハウス骨組の上へと容易で、かつ安全・円滑に引上げることができるし、この引上げる際にローラーがなくハウス骨組の傾斜パイプのものに較べて被覆体の摩擦抵抗を小さくすることができるとともに摩擦抵抗を小さくして容易に引上げられた被覆体はほぼ水平状態のローラーによりほぼ水平状態になったままで引続き案内ロープで案内されるために従来の傾斜パイプのものに較べて傾斜パイプの傾斜面を摩り落ちることがないという効果がある。更にこの摩れ落ちがないとう効果があるために被覆体が案内ローラーを通過したものも案内ロープで同一方向に引張られて良く案内されるので端部以外の傾斜パイプの傾斜面でも摩れ落ちることがなく、最良の状態でハウス骨組の傾斜面に載せることができるし、同様に強い風が吹いていても端部以外の傾斜パイプの傾斜面でも被覆体はその前後が案内ローラーを介してなど相当強く引張られているので被覆体が摩り落ちることなく被覆体をハウス骨組の傾斜パイプに設置する作業を行うことができる。
なお、同一出願人が先に出願し、前記の特開２００３−２７４７６５号公報記載の被覆体通し具を、被覆体の先端部と案内ロープの端部とを一体化して外側に、設けて使用することによりハウス骨組の傾斜パイプと緩めた被覆体固定ロープとの間に被覆体を案内ロープで円滑に通すことができるし、強い風が吹いていても被覆体は上下に被覆体固定ロープとハウス骨組の傾斜パイプがあるから風で被覆体が飛ばされないために強い風の日も被覆体をハウス骨組の傾斜パイプに設置する作業を行うことができる。
【０００７】  請求項２のハウス骨組の被覆体案内ローラーにおいては、ローラーの長さ方向のほぼ中央にロープ案内溝を設けたから、このロープ案内溝に案内ロープを入れて水平方向に引張ることにより案内ロープ及び案内ロープと一体化した被覆体は常にローラーの長さ方向のほぼ中央に案内されるので、案内ロープと被覆体を常に最良の状態でハウス骨組の上に案内することができるとともに案内ロープ及び被覆体がローラーの端部寄りに移動するのを防止することができる。更に案内ローラーが水平方向より多少傾斜していても案内ロープなどが傾斜した低い方に移動するのを防止することができる。
【０００８】  請求項３のハウス骨組の被覆体案内ローラーにおいては、ローラーの円形穴に、円形穴の内径より小さい外径の円形断面固定軸を、設けたから、このローラーの円形穴に円形断面固定軸を挿入して円形断面固定軸の両端を第１フレームと第２フレームにそれぞれ連結固定することによりハウス骨組に取付けたローラーを円滑に回転することができるとともにこの円形断面固定軸が第１フレームと第２フレームとをローラーがある側である前方で連結固定してフレームの役目も果たすので被覆体案内ローラーの強度が大きくなるという効果がある。
【０００９】  請求項４のハウス骨組の被覆体案内ローラーにおいては、ローラーの両端部に回転軸を突出して設けるとともに第１フレームと第２フレームにそれぞれ軸受部を設けたから、このローラーの両端部に設けた回転軸を、第１フレームと第２フレームにそれぞれ設けた軸受部に、係支することによりハウス骨組に取付けたローラーを円滑に回転することができる。
【００１０】  請求項５のハウス骨組の被覆体案内ローラーにおいては、第１フレームと第２フレームをローラーの両端部後方で第３フレームで連結固定したから、この第３フレームが第１フレームと第２フレームとを後方で連結固定したために被覆体案内ローラーの強度が大きくなるという効果がある。
【００１１】  請求項６のハウス骨組の被覆体案内ローラーにおいては、ローラーの両端部の上側からフレームの後端部までに補強フレームを連結固定したから、第１フレームと第２フレームが、ローラーの両端部であるとともに両フレームの上側で側面側が３角形状などの形状に連結固定したためにこの両フレームは３角形状などの形状に連結したことにより両フレームの強度が大きくなるという効果とともにローラーを支持する強度が大きくなるという効果があるし、この案内ローラーを骨組に取付けて骨組の上に被覆体を引上げる際に、ローラーの両端で上側に設けた３角形状などの形状の両フレームが被覆体をローラーに案内し、かつローラーが回転するために被覆体をローラーの上から骨組にの上へと円滑に案内することができる。
【００１２】  請求項７のハウス骨組の被覆体案内ローラーにおいては、第１レームと第２フレームが、ローラーの両端部であるとともに両フレームの上側で側面側が３角形状などの形状に連結固定し、かつ上側フレームがそれぞれ前方側に突出して設けたから、この両フレームは３角形状などの形状に連結したので両フレームの強度が大きくなるという効果とともにローラーを支持する強度が大きくなるという効果があるし、このローラーをハウス骨組に取付けて骨組の上に被覆体を引上げる際に、ローラーの両端で前方側に突出した上側フレームが骨組へと引上げられる嵩張った被覆体をローラーに良く案内するために被覆体をローラーの上から骨組にの上へと円滑に案内することができる。
【００１３】  請求項８のハウス骨組の被覆体案内ローラーにおいては、第３掛止具の下方開口縁部に、下方開口部を開閉する開閉自在具を、設けたから、このローラーを第１掛止具、第２掛止具、第３掛止具で骨組のパイプに上側から掛止した後に第３掛止具の下方開口部を開閉自在具で骨組の棟パイプに下側から閉じ止めて取付けることによりローラーを骨組のパイプに強固に係止することができるし、骨組の上に被覆体を引上げる際にローラーが骨組のパイプより脱落などすることなく、被覆体を骨組の上に円滑に引上げることができる。
【発明を実施するための最良の形態】
【００１４】  ハウス骨組の被覆体案内ローラーは、ローラーの両端部にフレームをそれぞれ後方に設け、このフレームの１方の側の第１フレームには下方向に突出した下方開口の第１掛止具を所定の位置に設けて、他方の側の第２フレームには低い位置の前半部のフレームと高い位置の後半部のフレームとの間でハウス骨組の傾斜パイプに取付時のローラーがほぼ水平方向に設置する位置に上方向に突出した下方開口の第２掛止具を連結固定して設けるとともにハウス骨組の棟パイプ用で下方開口の第３掛止具を所定の位置に設けたものである。
【実施例１】
【００１５】  図１から図４に図示したように、ローラー１はローラー１の中心部に円形穴２を設けるとともにローラー１の長さ方向のほぼ中央の外側にロープ案内溝３を設け、このローラー１の円形穴２に、円形穴２の内径より小さい外径の円形断面固定軸４を、設ける。この円形断面固定軸４の１方の側（図１の左側）には、下方向に突出した下方開口の第１掛止具７を第１フレームのほぼ中央の位置に設けた第１フレーム５を、ほぼ水平方向に設けるとともに円形断面固定軸４の他方の側（図１の右側）には、前半部のフレーム６′と後半部のフレーム６″との間で骨組の傾斜パイプに取付時のローラーがほぼ水平方向に設置する位置に上方向に突出した下方開口の第２掛止具８を連結固定した第２フレーム６を、ほぼ水平方向に設ける。この第２フレーム６の後端部にはハウス骨組の棟パイプ用で下方開口９′であるとともにこの下方開口の縁部に下方開口部を開閉する開閉自在具９″を有する第３掛止具９を設け、前記第１フレーム５と第２フレーム６とを後端部において第３フレーム１０で連結固定するとともに前記円形断面固定軸４の両端部の上側から第１フレーム５と第２フレーム６の後端部までの補強フレーム１１，１２により側面３角形状などの形状に連結固定し、この補強フレーム１２と前記第２掛止具８の上端とを連結固定したハウス骨組の被覆体案内ローラー１３である。【００１６】  この実施例１のハウス骨組の被覆体案内ローラー１３を実際にハウス骨組に使用する際は図５図示のように、案内ローラー１３の第１掛止具７と第２掛止具８をハウス骨組１４の端の傾斜パイプ１５に掛止するとともに第３掛止具９をハウス骨組の棟パイプ１６に掛止し、第３掛止具９の開閉自在具９″を蝶ナットなどで閉じ止めてハウス骨組に案内ローラー１３のローラー１をほぼ水平に取付ける。
案内ローラー１３をハウス骨組に取付けてから図５図示のように予め骨組１４の傾斜パイプ１５と固定用ロープ１７との間に通しておいた案内ロープ１８の開口先細形の通し具１９に通した後に案内ロープ１８の先端部をビニールシート２０の先端部に結んで案内ロープ１８を矢印方向に定滑車（図示せず）を介して引張ることにより案内ロープはローラー１のロープ案内溝３に案内され、かつローラーを回転しながらビニールシートとともに地上から骨組の上へと引上げられ、更に案内ロープに案内されて骨組１４と固定用ロープ１７との間に自動的に通される。そして案内ロープをビニールシートから取外してから、ビニールシートを骨組の上に広げて被覆し、緩めてあった固定用ロープを締付け固定してビニールハウスにする。
なお、通し具１９については同一特許出願人が前記のとおり特開２００３−２７４７６５号公報として既に出願してあるし、実施例１ではローラーの軸として円形断面固定軸について説明したが、ローラーの両端部に回転軸を一体化して突出し、第１フレームと第２フレームの所定箇所に回転軸用の軸受部を設けたりなどした構成の被覆体案内ローラーもよい。更に図３などては補強フレームとしてローラーの両端部の上前方側からフレームの後端部までに補強フレームを連結固定したものについて説明したが、ローラーの両端部の上側からフレームの後端部までに補強フレームを連結固定したものもよい。
【図面の簡単な説明】
【００１７】
【図１】  本発明品の正面図である。
【図２】  同じく平面図である。
【図３】  同じく左側面図である。
【図４】  同じく右側面図である。
【図５】  本発明品を取付時の正面図である。
【図６】  本発明品の取付使用時の斜視図である。
【符号の説明】
【００１８】    １    ローラー
２    円形穴
３    ロープ案内溝
４    円形断面固定軸
５    第１フレーム
６    第２フレーム
７    第１掛止具
８    第２掛止具
９    第３掛止具
１０    第３フレーム
１１    補強フレーム
１２    補強フレーム
１３    被覆体案内ローラー
【図１】
2005270071.tif 000003
【図２】
2005270071.tif 000004
【図３】
2005270071.tif 000005
【図４】
2005270071.tif 000006
【図５】
2005270071.tif 000007
【図６】
2005270071.tif 000008